(57)【要約】【課題】組立が容易で、構成部材が細かく分離することのない小動物用小屋を提供する。【解決手段】小動物用小屋１は、底板１０の各辺に沿って側壁１１，１２，１５，１６が立設されてなる本体２と、前記本体の側壁の上に取外し自在に設けられた屋根部３とから構成される。各側壁１１，１２は、ヒンジ結合部１８，１９を有しており、底板１０の上に重なるように折り曲げ可能に設けられ、隣り合う側壁１１，１２が互いに当接しないように前記底板の対応する一辺よりも短く構成されている。また、それぞれの側壁の側縁を嵌入するための２つの溝を備える連結具１３を、前記隣り合う側壁のコーナー部１７にスライド式に設けることによって、前記側壁１１，１２を立てた状態で固定する。【選択図】　図１
2004049117.tif 000002
【特許請求の範囲】
【請求項１】
底板の各辺に沿って側壁を立設してなる本体と、前記本体の側壁の上に取外し自在に設けられた屋根部とから構成された小動物用小屋であって、
各側壁は、ヒンジ結合部を有しており、底板の上に重なるように折り曲げ可能に設けられており、隣り合う側壁が互いに当接しないように前記底板の対応する一辺よりも短く構成され、
それぞれの側壁の側縁を嵌入するための２つの溝を備える連結具を、前記隣り合う側壁のコーナー部にスライド式に設けることによって、前記側壁を立てた状態で固定することを特徴とする、小動物用小屋。
【請求項２】
前記側壁のヒンジ結合部は、隣り合う側壁ごとに、高さ位置を変えて設けられていることを特徴とする、請求項１記載の小動物用小屋。
【請求項３】
前記連結具は、棒状部材で構成され、前記溝が下方に向かうにしたがって広がるようにテーパー面を有していることを特徴とする請求項１又は２に記載の小動物用小屋。
【発明の詳細な説明】
【０００１】
【発明の属する技術分野】
本発明は、犬や猫などの小動物用の小屋に関し、主に室内に設置して使用する組立式の小屋に関する。
【０００２】
【従来の技術】
従来、住宅事情などの問題から、犬や猫などの愛玩動物を室内で飼うことが多くなっている。室内用の愛玩動物には、寝床などとして専用の小屋が与えられることが多く、通常は小屋を室内に配置する。
【０００３】
しかし、室内を掃除するときや来客時など、小屋が邪魔になり一時的に片付けておきたいような場合がある。このとき、小屋のままでは、サイズが大きく片付けに不便なため、より効率よく片付けることができるように、主に室内において用いられる組立式の小屋が発売されている。
【０００４】
しかし、この組立式の小屋は、工具を用いてビス止めなどにより、各部品を組み上げていくタイプのものであり、特に女性や子供などが容易に組み上げることが困難である。また、分解された各部材は分離されるため、特にビスなどの小さい部材をなくすことが多いという問題もあった。
【０００５】
【発明が解決しようとする課題】
したがって、本発明が解決しようとする技術的課題は、組立が容易で、構成部材が細かく分離することのない小動物用小屋を提供することである。
【０００６】
【課題を解決するための手段および作用・効果】
本発明は、上記技術的課題を解決するために、以下の構成の小動物用小屋を提供する。
【０００７】
小動物用小屋は、底板の各辺に沿って立設された側壁を有する本体と、前記本体の側壁の上に取外し自在に設けられた屋根部とから構成される。本体には、それぞれの側壁の側縁を嵌入するための２つの溝を備える連結具がさらに含まれる。各側壁は、ヒンジ結合部を有しており、底板の上に重なるように折り曲げ可能に設けられており、隣り合う側壁が互いに当接しないように前記底板の対応する一辺よりも短く構成されている。前記連結具は、前記隣り合う側壁のコーナー部にスライド式に設けられ、前記側壁を立てた状態で固定する。
【０００８】
上記構成において、本体は、小屋の底壁と側壁を構成するものである。側壁は底板の各辺に沿ってそれぞれ設けられており、ヒンジ結合部の上の部分が底板上に重なるように折り畳むことができるように、例えばヒンジ等によって底板に設けられている。側壁は、それぞれ対応する底板の一辺よりも若干短く構成されているため、隣り合う側壁間にわずかな隙間が形成される。連結具は、隣り合うそれぞれの側壁の側縁をはめ込むための２つの溝が形成されている。そして、連結具を上記隙間にスライド式にはめ込むことにより、側壁を立てた状態で固定する。
【０００９】
連結具は、立てた状態におけるそれぞれの側壁の側縁を溝にはめるように配置し、その後これをスライドさせてコーナー部に取りつけられる。その後、屋根部を側壁の上に設けることにより、小屋が組み上げられる。
【００１０】
上記構成によれば、底壁と側壁が一体的に構成された本体については、側壁を立ち上げ、スライド式に連結具をはめ込むだけで組み上げることができるので、小屋全体の組立に工具などを用いることなく組立てることができる。したがって、組立及び折り畳みを容易にすることができる。また、折り畳み時に細かい部品が分離することがなく、部品の損失などの問題を解消することができる。
【００１１】
本発明の小動物用小屋は、具体的には以下のように種々の態様で構成することができる。
【００１２】
前記側壁のヒンジ結合部は、隣り合う側壁ごとに、高さ位置を変えて設けられている。
【００１３】
上記構成において、本体の各側壁は、ヒンジ結合部から底板上に重なるようにして折り畳まれる。よって、隣り合う側壁ごとにその高さ位置を変えて設けられていることにより、折り畳まれた側壁同士が互いにぶつかることなく、底板上に重なるように折り畳むことができる。
【００１４】
したがって、上記構成によれば、本体の側壁同士が干渉することなく折り畳まれるため、折り畳み時の本体をコンパクトにすることができる。
【００１５】
好ましくは、前記連結具は、棒状部材で構成され、前記溝が下方に向かうにしたがって広がるようにテーパー面を有している。
【００１６】
上記構成において、前記溝が下方に向かうにしたがって広がるようなテーパー面を備えることによって、連結具の溝に側壁を嵌める作業を容易に行うことができ、組立をより容易にすることができる。また、溝が下方に向かうにしたがって広がることで、側壁の下方部分においては、連結具による締めつけは緩くなるが、側壁の下方は底板とヒンジ結合しているため、連結具による締めつけによらなくてもがたつくことがない。一方、側壁の上方は連結具の溝が狭くなっているため、しっかりと締めつけることができる。結果的に小屋全体としての締めつけの強度は十分に確保される。
【００１７】
【発明の実施の形態】
以下、本発明の一実施形態に係る小動物用小屋について、図面を参照しながら説明する。
【００１８】
図１は、本発明の実施形態にかかる小動物用小屋の斜視図である。小屋１は、本体２と本体２の上に載置される屋根部３とから構成されている。本体２は、矩形の底壁１０と、底壁１０の周囲に立設された４枚の側壁１１，１２と、隣り合う側壁のコーナー部に設けられた柱状の連結具１３とから構成されている。側壁には、小動物が小屋の中に入るための入口や窓が設けられている。連結具１３は、隣り合う２つの側壁のコーナー部において、両者を立てた状態で固定するためのものである。連結具１３の具体的な構成については後述する。
【００１９】
屋根部３は、本体の上に載置される。図２に示すように、屋根部３と本体２との載置位置を固定するために、本体２の側壁１２には、溝１２ａが設けられており、屋根部３のガイド２０を嵌め込んで両者を固定する。
【００２０】
図３は折り畳まれた状態にある本体の構成を示す斜視図である。本体２は、上述のように、底壁１０の各辺に側壁１１，１２を立設して構成されている。底壁１０は、小屋が載置される面から高さＡの位置に位置している。側壁は、底壁１０の各辺に沿って設けられ、それぞれ対応する底壁１０の辺よりも若干短く構成されている。そのため、図３に示すように、隣り合う側壁１０の間には隙間１７が形成される。この隙間１７には、後述するように連結具を配置する。
【００２１】
底壁の各辺には、側壁下部１５，１６が固着されている。側壁下部１５，１６は、底壁１０の上に重なるように折れ曲るヒンジ結合部１８，１９を備えており、ヒンジ結合部１８，１９より上に位置する部分が底壁１０上に重なるように折り畳まれる。ヒンジ結合部１８，１９は、例えば、ヒンジ１４（図４参照）を用いて構成される。また、隣り合う側壁１１，１２に対応する側壁下部１５，１６は、それぞれ高さが異なっており、その結果それぞれ隣り合う側壁のヒンジ結合部１８，１９は、高さ位置が異なる。このように隣り合う側壁のヒンジ結合部の高さを変えることにより、隣り合う側壁が互いにぶつかることなく折りたたまれ、折り畳み時の本体サイズをコンパクトにすることができる。
【００２２】
図４は、組立途中における本体の斜視図である。本体２の組立では、まず、上位の折り曲げ部１８を有する側壁１１を起こし、次に残りの側壁１２を起こす。上述のように、側壁の幅は、対応する底壁の辺よりも若干短く構成されているため、隣り合う側壁１１，１２の間には、隙間１７が形成される。この隙間に後述するように、連結具をスライド式に固定する。
【００２３】
図５は、連結具の構成を示す図であり、（ａ）は斜視図、（ｂ）は（ａ）のＩ−Ｉにおける断面図である。図５（ａ）に示すように、連結具１３は、略四角柱形状の部材であり、本体３１の隣り合う表面にそれぞれ溝３２，３３が設けられている。連結具１３の溝３２は、本体の側壁をはめ込みやすくするために、下部がテーパー面３７となっている。この場合でも側壁の上部は、溝が細く形成されるため、本体の側壁はしっかりと固定され、小屋全体としてがたつきなどを抑えることができる。また、連結具の内壁３６は、本体２の底壁１０と接触しないように、連結具１３の底端から距離Ｂだけ上側にのみ設けられ、連結具の下方領域３９は、外壁３４，３５のみが存在する。
【００２４】
後述するように、連結具１３の溝３２，３３には、本体２の隣り合う側壁１１，１２がはめ込まれる。その結果、本体２の側壁１１，１２は、連結具１３の外壁３４，３５と内壁３６とで挟持され、立った状態に保持される。
【００２５】
図６は、連結具をはめ込む状態における本体の斜視図である。図７は、連結具と側壁の嵌合状態を説明するための要部拡大図である。上述のように、それぞれの側壁を起こした状態における本体の隙間１７に連結具をスライド式に固定する。具体的には、図６に示すように、隣り合う側壁１１，１２のコーナーに位置する両端部に連結具の２つの溝３２，３３をはめ込むように連結具を上方からはめ込み、連結具１３をそのまま下方にスライドさせる。すなわち、図７に示すように、連結具の外壁３４，３５が外側から、内壁３６が内側から側壁１１，１２を挟持し両者を固定する。図５（ａ）に示すように、連結具１３の上端３８は、側壁の上縁に沿うように斜めに構成されている。
【００２６】
このようにして、４つのコーナーに連結具１３を固定することにより、本体２の組立が終了する。
【００２７】
図８は折り畳み状態にある屋根部の斜視図である。屋根部３は、２つの大天板２１，２３と大天板２１，２３の間に位置する小天板２２とを備えている。小天板２２には、本体に載置された時に側壁１２の溝１２ａにはめ込まれるガイド２０が固定されており、２つの大天板２１，２３は、当該ガイド２０とヒンジ２４で連結している。小天板２２の両端及び、大天板２１，２３の小天板２２側の端部は、それぞれ斜めに面取りされており、大天板２１，２３を広げた場合に、両端部が当接し、大天板２１，２３が本体２の側壁１２の上端縁がなす所定角度以上に広がらないように構成されている。
【００２８】
また、ガイド２０には、側壁１２の溝１２ａと噛み合う凹部２５が形成されており、屋根部３が本体２に載置された場合、ガイド２０の延在方向に屋根部３がずれるのを防止している。
【００２９】
図８に示すように、屋根部３はそれぞれ３つの天板２１，２２，２３を折り畳むように構成されているため、コンパクトに収納することができる。
【００３０】
一方、組立時においては、屋根部３の３つの天板を広げ、図２に示すように、側壁１２の溝１２ａにガイド２０が嵌るように、組み上げられた本体２に載置する。ガイド２０に設けられた凹部２５は、側壁１２の溝の周縁に嵌り、屋根部３を固定する。したがって、屋根部３と本体２の組立工程においても工具などを必要とすることなく両者を固定することができる。
【００３１】
以上説明したように、上記実施形態にかかる小動物用小屋は、本体２の組立工程および本体と屋根部３との組み立て工程においても工具などを必要とすることなく、手での組立を可能にする。したがって小屋の分解、組立を容易にし、コンパクトに収納することができるとともに、分解時に分離される細かい部品の数を少なくすることができ、部品の紛失などの問題を解消することができる。
【００３２】
なお、本発明は上記実施形態に限定されるものではなく、その他種々の態様で実施可能である。
【図面の簡単な説明】
【図１】本発明の実施形態にかかる小動物用小屋の斜視図である。
【図２】図１の小動物用小屋の本体と屋根部の組立構成を示す図である。
【図３】折り畳み時における図１の本体の斜視図である。
【図４】組立途中における図１の本体の斜視図である。
【図５】連結具の構成を示す図であり、（ａ）は斜視図、（ｂ）は（ａ）のＩ−Ｉにおける断面図である。
【図６】連結具をはめ込む状態における本体の斜視図である。
【図７】連結具と側壁の嵌合状態を説明するための要部拡大図である。
【図８】折り畳み状態にある屋根部の斜視図である。
【符号の説明】
１　小屋
２　本体
３　屋根部
１０　底壁
１１，１２　側壁
１３　連結具
１４　ヒンジ
１５，１６　側壁下部
１７　隙間
１８，１９　ヒンジ結合部
２０　ガイド
２１，２３　大天板
２２　小天板
２４　ヒンジ
２５　凹部
３１　連結具本体
３２，３３　溝
３４，３５　外壁
３６　内壁
３７　テーパー面
【図１】
2004049117.tif 000003
【図２】
2004049117.tif 000004
【図３】
2004049117.tif 000005
【図４】
2004049117.tif 000006
【図５】
2004049117.tif 000007
【図６】
2004049117.tif 000008
【図７】
2004049117.tif 000009
【図８】
2004049117.tif 000010